(57)【要約】【課題】  主制御手段の処理負担を軽減することができる遊技機を提供する。【解決手段】  主制御回路１１は、入力信号に基づいて、演出主コマンド信号あるいは終了主コマンド信号を副制御回路２１に出力する。副制御回路２１は、演出主コマンド信号が入力されると演出副コマンド信号を、終了主コマンド信号が入力されると終了副コマンド信号を表示制御回路３１に出力する。同時に、スピーカ２５及びランプ２６を制御するための音指示情報及びランプ指示情報を音源ＩＣ２３及びランプ駆動回路２４に出力する。さらに、終了主コマンド信号が入力されてから演出主コマンド信号が入力されない状態が設定時間継続したことを条件に、所定の演出動作を示す開始副コマンド信号を表示制御回路３１に出力するとともに、音指示情報及びランプ指示情報を音源ＩＣ２３及びランプ駆動回路２４に出力する。【選択図】        図１
2005102712.tif 000002
【特許請求の範囲】
【請求項１】
遊技状態を示す入力信号に基づいて主コマンド信号を副制御手段に出力する主制御手段と、入力された主コマンド信号に基づいて被制御機器を制御する副制御手段とを備え、
主制御手段は、演出動作を示す演出主コマンド信号と、演出動作の終了を示す終了主コマンド信号を出力可能であり、
副制御手段は、演出主コマンド信号が入力されると、入力された演出主コマンド信号で示されている演出動作が実行されるように被制御機器を制御し、終了主コマンド信号が入力されると、演出動作が終了するように被制御機器を制御するとともに、計時動作を開始し、演出主コマンド信号が入力されない状態が設定時間継続したことを条件に所定の演出動作が実行されるように被制御機器を制御する、
遊技機。
【発明の詳細な説明】
【技術分野】
【０００１】
本発明は、パチンコ機等の遊技機に関する。
【背景技術】
【０００２】
遊技機、例えば、パチンコ機は、図７に示すように、被制御機器、被制御機器を制御する被制御機器制御回路、被制御機器を駆動する被制御機器駆動回路、被制御機器制御回路にコマンド信号を出力するともに被制御機器駆動回路に駆動信号を出力する主制御回路等を有している。被制御機器としては、表示装置（例えば、液晶表示装置やドット表示装置等）、スピーカ、ランプ（例えば、ＬＥＤ）、大入賞口を開閉する大入賞口開閉部材等が用いられている。また、被制御機器制御回路としては、表示装置を制御する表示制御回路、スピーカを制御する音制御回路、ランプを制御するランプ制御回路等が用いられている。また、被制御機器駆動回路としては、大入賞口開閉部材を駆動する大入賞口開閉部材駆動回路等が用いられている。
従来の遊技機では、主制御回路は、入力信号や記憶回路に記憶されている制御プログラム等に基づいて、表示制御回路、音制御回路、ランプ制御回路等の被制御機器制御回路それぞれにコマンド信号を出力するように構成されている。（特許文献１参照）
【特許文献１】特開２００２−２９２０８４号公報
【発明の開示】
【発明が解決しようとする課題】
【０００３】
従来の遊技機では、主制御回路は、表示制御回路、音制御回路、ランプ制御回路等の被制御機器制御回路それぞれに、各演出動作毎にコマンド信号を出力するように構成されているため、主制御回路におけるコマンド信号の出力処理に要する処理負担が大きい。また、近年、遊技機の動作が複雑化しており、それに伴って主制御回路の処理負担が増加する傾向にある。
一方、遊技機では、使用可能な主制御回路が定められているため、主制御回路の処理能力には限界がある。
そこで、本発明が解決しようとする課題は、主制御回路の処理負担を軽減することができる遊技機を提供することである。
【課題を解決するための手段】
【０００４】
前記課題を解決するための本発明の第１発明は、演出動作を示す演出主コマンド信号と、演出動作の終了を示す終了主コマンド信号を出力可能な主制御手段と、演出主コマンド信号が入力されると、入力された演出主コマンド信号で示されている演出動作が実行されるように被制御機器を制御し、終了主コマンド信号が入力されると、演出動作が終了するように被制御機器を制御し、さらに、終了主コマンド信号が入力されてから演出主コマンド信号が入力されない状態が設定時間継続したことを条件に所定の演出動作が実行されるように被制御機器を制御する副制御手段を備えている。
なお、本発明では、「演出動作」は、遊技者に遊技結果や遊技状態等を報知する演出動作を意味する。例えば、始動信号の入力（抽選条件の成立）に起因して行った抽選により取得した抽選情報の判定結果や客待状態（始動信号が入力されてなく、且つ抽選情報が保留されていない状態）であること等を、表示装置、スピーカ、ランプ等を用いて報知することによって実行される。
また、副制御手段による被制御機器の制御方法としては、被制御機器の駆動回路に指示情報を出力する方法や被制御機器を制御する被制御機器制御装置にコマンド信号を出力する方法を用いることができる。
また、主制御手段から終了主コマンド信号が出力されてから設定時間の計時動作を開始することは、副制御手段に終了主コマンド信号が入力されてから設定時間の計時動作を開始することと同義であり、主制御手段から終了主コマンド信号が出力されてから設定時間の計時動作を開始することは、本発明の、副制御手段に終了主コマンド信号が入力されてから設定時間の計時動作を開始する概念に含まれる。
【発明の効果】
【０００５】
請求項１に記載の遊技機では、主制御手段と副制御手段を設けるとともに、演出動作を、主制御手段が管理する演出動作と副制御手段が管理する演出動作に分け、主制御手段は、主制御手段が管理する演出動作に関する主コマンド信号のみを出力し、副制御手段は、主制御手段が管理している演出動作の内容、開始時期及び終了時期（演出動作態様）は主コマンド信号で指示され、副制御手段が管理している演出動作の内容、開始時期及び終了時期（演出動作態様）は主コマンド信号に基づいて判断している。
これにより、主制御手段は、主制御手段が管理している演出動作に関する主コマンド信号の出力処理のみを実行すればよいため、主制御手段の処理負担が軽減される。また、副制御手段により複数の被制御機器を制御する場合には、主制御手段は、副制御手段により制御される複数の被制御機器それぞれにコマンド信号を出力する必要がないため、主制御手段の処理負担が一層軽減される。
【発明を実施するための最良の形態】
【０００６】
以下に、本発明の実施の形態を説明する。
本発明の第１の実施の形態の概略構成図を図1に示す。本実施の形態は、本発明をパチンコ機として構成したものである。
本実施の形態は、主制御回路（主制御手段）１１と、被制御機器制御回路（被制御機器制御手段）と、被制御機器とを備えている。被制御機器制御回路としては、副制御回路（副制御手段）２１、表示制御回路（表示制御手段）３１等が用いられている。被制御機器としては、スピーカ（音発生手段）２５、ランプ（光発生手段）２６、液晶表示装置やドット表示装置等の表示装置（表示手段）３８等を有している。主制御回路１１は主制御基板１０に配設され、副制御回路２１は副制御基板２０に配設され、表示制御回路３１は表示制御基板３０に配設されている。
なお、これ以外にも、賞球制御基板に配設されている賞球制御回路等の被制御機器制御回路、賞球装置や大入賞口を開閉する大入賞口開閉部材等の被制御機器、大入賞口開閉部材を駆動する大入賞口開閉部材駆動回路等の被制御機器駆動回路等を備えている。
【０００７】
主制御基板１０には、インターフェース回路（入力インターフェース回路１０ａ、出力インターフェース回路１０ｂ）、主制御回路１１、記憶回路（記憶手段）１２等が配設されている。
記憶回路１２には、パチンコ機全体の遊技動作を制御する主制御回路１１の制御プログラム、当たり判定用乱数プログラム、当たり変動パターン用乱数プログラム、当たり図柄用乱数プログラム、はずれ変動パターン用乱数プログラム、はずれ図柄用乱数プログラム等が記憶される。
主制御回路１１は、入力インターフェース回路１０ａを介して入力される、遊技状態を示す入力信号（遊技球が始動入賞口に入賞あるいは始動ゲートを通過したことを示す始動信号、遊技球が入賞口に入賞したことを示す入賞信号等）と記憶回路１２に記憶されている制御プログラム等に基づいて、出力インターフェース回路１０ｂを介して主コマンド信号等を出力する。例えば、始動信号の入力に基づいて、変動開始主コマンド信号、停止主コマンド信号等を副制御回路２１に出力する。変動開始主コマンド信号は、変動パターン主コマンド信号と図柄主コマンド信号により構成される。
主制御回路１１は、これ以外にも、賞球主コマンド信号を賞球制御基板に配設されている賞球制御回路に出力したり、駆動信号を大入賞口開閉部材駆動装置に出力する。
【０００８】
副制御基板２０には、インターフェース回路（入力インターフェース回路２０ａ、出力インターフェース回路２０ｂ〜２０ｄ）、副制御回路２１、記憶回路２２、音源ＩＣ（スピーカ駆動回路）２３、ランプ駆動回路２４等が配設されている。
記憶回路２２には、副制御回路２１の制御プログラム、スピーカ２５を制御するための音指示情報やランプ２６を制御するためのランプ指示情報、副変動パターン用乱数プログラム等が記憶される。
なお、スピーカ２５を制御するための音指示情報やランプ２６を制御するためのランプ指示情報は、主コマンド信号（あるいは副コマンド信号）に対応させて記憶されている。例えば、変動パターン主コマンド信号あるいは変動開始主コマンド信号（変動パターン主コマンド信号と図柄主コマンド信号）に対応させて記憶されている。
また、副変動パターン用乱数プログラムによって発生される副変動パターン用の乱数は、主制御回路１１から出力される変動パターン主コマンド信号で示される変動パターンが副変動パターンを有する場合に、副変動パターンで表示する表示情報（キャラクタの種類等）を決定するために用いられる（詳細は後述する）。
【０００９】
副制御回路２１は、受信・解析モジュール２１ａ、音モジュール２１ｂ、ランプモジュール２１ｃとしての機能を備えている。本実施の形態では、受信・解析モジュール２１ａ、音モジュール２１ｂ、ランプモジュール２１ｃをソフトウェアで構成しているが、ハードウェアで構成することもできる。
副制御回路２１は、入力インターフェース回路２０ａを介して入力された主コマンド信号に基づいて、出力インターフェース回路２０ｂを介して表示制御回路３１に副コマンド信号を出力する。（受信・解析モジュール２１ａ）。
例えば、入力された変動パターン主コマンド信号で示されている変動パターンを示す変動パターン副コマンド信号と、取得した副変動パターン用の乱数に対応する表示情報を示す副変動パターン副コマンド信号と、入力された図柄主コマンド信号で示されている図柄を示す図柄副コマンド信号とにより構成される変動開始副コマンド信号を出力する。あるいは、入力された停止主コマンド信号で示されている演出動作を終了させる停止副コマンド信号を出力する。あるいは、停止主コマンド信号が入力されてから、変動開始主コマンド信号が入力されない状態が設定時間継続した場合に客待副コマンド信号を出力する。
また、副制御回路２１は、入力された主コマンド信号に基づいて、音指示情報を記憶回路２２から読み出して音源ＩＣ２３に出力する。音源ＩＣ２３は、入力された音指示情報に対応する音制御信号を出力インターフェース回路２０ｃを介してスピーカ２５に出力する（音モジュール２１ｂ）。
また、副制御回路２１は、入力された主コマンド信号に基づいて、ランプ指示情報を記憶回路２２から読み出してランプ駆動回路２４に出力する。ランプ駆動回路２４は、入力されたランプ指示情報に対応するランプ制御信号を出力インターフェース回路２０ｄを介してランプ２６に出力する（ランプモジュール２１ｃ）。
【００１０】
表示制御基板３０には、インターフェース回路（入力インターフェース回路３０ａ、出力インターフェース回路３０ｂ）、表示制御回路３１、記憶回路３２、駆動回路３３等が配設されている。
記憶回路３２には、表示制御回路３１の制御プログラム、表示装置３８を副コマンド信号に基づいて制御するための表示指示情報等が記憶されている。例えば、変動開始副コマンド信号（変動パターン副コマンド信号及び図柄副コマンド信号、あるいは変動パターン副コマンド信号と副変動パターン副コマンド信号及び図柄副コマンド信号）、停止副コマンド信号や客待副コマンド信号等に対応させて記憶されている。
表示制御回路３１は、入力インターフェース回路３０ａを介して入力された副コマンド信号に基づいて、表示装置３８を制御するための表示指示情報を駆動回路３３に出力する。駆動回路３３は、入力された表示指示情報に基づいて表示制御信号を出力インターフェース回路３０ｂを介して表示装置３８に出力する。
【００１１】
本実施の形態では、主制御回路１１が本発明の主制御手段に対応し、変動開始主コマンド信号（変動パターン主コマンド信号及び図柄主コマンド信号）が本発明の演出主コマンド信号に対応し、停止主コマンド信号が本発明の終了主コマンド信号に対応し、副制御回路２１が本発明の副制御手段に対応し、変動開始副コマンド信号（変動パターン副コマンド信号及び図柄副コマンド信号、あるいは変動パターン副コマンド信号と副変動パターン副コマンド信号及び図柄副コマンド信号）が本発明の演出副コマンド信号に対応し、停止副コマンド信号が本発明の終了副コマンド信号に対応し、客待副コマンド信号が本発明の開始副コマンド信号に対応する。
【００１２】
次に、本実施の形態の動作を説明する。本実施の形態では、演出動作を主制御回路１１が管理する演出動作（例えば、抽選情報の判定結果に基づく変動演出動作や大当たり演出動作等）と副制御回路２１が管理する演出動作（例えば、客待時の演出動作）に分け、主制御回路１１は、主制御回路１１が管理する演出動作に関する主コマンド信号を副制御回路２１に出力する。副制御回路２１は、主コマンド信号が入力されると、主コマンド信号に対応する副変動パターン副コマンド信号を主コマンド信号に付加して表示制御回路３１に出力するように構成されている。
【００１３】
先に、副コマンド信号について説明する。
遊技の演出を多様化し、遊技に対する遊技者の興趣を高めるために、表示装置に図柄を変動表示している最中の所定時期に副変動パターンを表示させる変動パターン用いることがある。副変動パターンとしては、例えば、犬、猫、鳥、兎等のキャラクタ、風景、図柄等の表示情報を固定あるいは変動表示させるパターンが用いられる。図柄の変動表示中に副変動パターンが表示される変動パターンを用いることで、変動パターンの種類が増加し、遊技の演出が多様化する。
しかしながら、このような図柄の変動表示中に副変動パターンを表示させる変動パターンを含む複数の変動パターンの中から任意の変動パターンを選択する処理を主制御回路に実行させると、主制御回路の処理負担が増大する。例えば、副変動パターンに用いられる表示情報の種類が異なるだけで、表示情報の表示時期や表示態様（位置、移動方向、大きさ等）は同じである変動パターンが存在する場合でも、主制御回路は、いずれかを選択する処理を実行する必要がある。
【００１４】
このような場合には、変動パターンを、表示情報の表示時期や表示態様が定められている副変動パターンを表示する基本変動パターンと、副変動パターンで用いられる表示情報とによって構成し、基本変動パターンの決定を主制御回路に実行させ、副変動パターンで用いる表示情報の決定を副制御回路（あるいは、表示制御回路）に実行させることにより、主制御回路の処理負担を軽減することができる。
すなわち、表示制御回路３１の記憶回路３２に、基本変動パターン及び副変動パターンで使用される表示情報に対応させて表示指示情報を記憶させておく。主制御回路１１は、始動信号が入力されると、変動パターン用の乱数を読み取り、読み取った変動パターン用の乱数に対応する基本変動パターンを示す変動パターン主コマンド信号を出力する。副制御回路２１は、変動パターン主コマンド信号が入力されると、副変動パターン用の乱数を読み取る。そして、入力された変動パターン主コマンド信号で示され変動パターンを示す変動パターン副コマンドと読み取った副変動パターン用の乱数に対応する表示情報を示す副変動パターン副コマンド信号を表示制御回路３１に出力する。表示制御回路３１は、副変動パターンコマンド信号で示されている変動パターン及び副変動パターン副コマンド信号で示されている表示情報に対応する表示指示情報を出力する。なお、副変動パターンで使用する表示情報を表示制御回路３１が選択するように構成することもできる。
【００１５】
次に、主制御回路１１の動作を説明する。
主制御回路１１は、入力信号に基づいて種々の主コマンド信号を出力する。
例えば、始動信号が入力されると（抽選条件が成立すると）、当たり判定用の乱数を読み取り、読み取った当たり判定用の乱数が所定値（当たり値）であるか否かを判定する。当たり判定用の乱数が所定値（当たり値）である場合には、当たり変動パターン用の乱数及び当たり図柄用の乱数を読み取る。一方、読み取った当たり判定用の乱数が所定値（当たり値）でない場合には、はずれ変動パターン用の乱数及びはずれ図柄用の乱数を読み取る。そして、変動パターン（当たり変動パターン用の乱数に対応する当たり変動パターンあるいははずれ変動パターン用の乱数に対応するはずれ変動パターン）を示す変動パターン主コマンド信号と図柄（当たり図柄用の乱数に対応する当たり図柄あるいははずれ図柄用の乱数に対応するはずれ図柄）を示す図柄主コマンド信号により構成される変動開始主コマンド信号を主コマンド信号として出力する。
なお、表示装置３８に複数の図柄を変動表示させる場合には、各図柄毎に図柄主コマンド信号を出力する。例えば、左図柄、中図柄、右図柄を変動表示させる場合には、図柄主コマンド信号として、左図柄主コマンド信号、中図柄主コマンド信号、右図柄主コマンド信号を出力する。
【００１６】
また、変動開始主コマンド信号を出力した後、変動開始主コマンド信号に含まれている変動パターン主コマンド信号で示されている変動パターンの変動時間に対応する時間が経過した時点で、停止主コマンド信号（確定主コマンド信号）を出力する。
さらに、当たり判定用の乱数が所定値（当たり値）である場合には、停止主コマンド信号を出力してから所定の停止時間が経過した時点で、大当たり演出開始主コマンド信号を出力する。同時に、大入賞口開閉部材を駆動制御して、遊技者に有利な特別遊技状態を発生させる。そして、特別遊技状態が終了すると（例えば、大入賞口開閉部材が設定回数開制御された場合あるいは特別遊技状態が設定時間継続した場合）、大当たり演出終了主コマンド信号を出力する。
また、液晶表示装置３８に図柄の変動表示あるいは大当たり演出表示が実施されている状態で始動信号が入力された場合には、抽選情報、例えば、当たり判定用の乱数を保留球として記憶する。そして、停止主コマンド信号あるいは大当たり演出終了主コマンド信号を出力してから所定の待機時間が経過した時点で、保留球として記憶されている抽選情報の判定結果に基づいた変動開始主コマンド信号を出力する（保留球の消化）。
【００１７】
次に、副制御回路２１の動作を、図２〜図４に示すフローチャート図を用いて説明する。図２〜図４のフローチャート図に示す処理は、適宜の時期に開始される。
ステップＳ１では、変動開始主コマンド信号が入力されたか否かを判断する。例えば、変動開始主コマンド信号を構成する変動パターン主コマンド信号が入力されたか否かを判断する。変動開始主コマンド信号が入力された場合にはステップＳ２に進み、入力されない場合にはステップＳ１１に進む。
ステップＳ２では、変動開始主コマンド信号がすべて正しく入力されたか否かを判断する。例えば、変動開始主コマンド信号を構成する変動パターン主コマンド信号と左図柄主コマンド信号、中図柄主コマンド信号及び右図柄主コマンド信号が全て正しく入力されたか否かを判別する。変動開始主コマンド信号が全て正しく入力された場合にはステップＳ３に進み、入力されなかった場合にはリターンする。
ステップＳ３では、タイマ３に第３の設定時間を設定（第３の設定時間を計時するタイマ３をセット）する。ステップＳ３では、タイマ３の第３の設定時間として、例えば、「−１」秒を設定する。
なお、本実施の形態では、後述するステップＳ２５のタイマ３の減算処理において、タイマ３の値が正の場合にタイマ３の値を減算し、タイマ３の値が「０」あるいは負の場合にタイマ３の値を減算しないように構成されている。
【００１８】
ステップＳ４では、変動開始設定処理を実行した後、ステップＳ５に進む。変動開始設定処理では、例えば、入力された変動パターン主コマンド信号で示されている変動パターンに対応するパターンの音（変動音）をスピーカ２５から出力させるための音指示情報、変動パターンに対応するパターンでランプ２６を点灯させる（変動ランプ）ためのランプ指示情報を記憶回路２２から読み取る準備、変動開始副コマンド信号を出力する準備を行う。変動開始副コマンド信号を出力する準備としては、例えば、入力された変動パターン主コマンド信号で示されている変動パターンを示す変動パターン副コマンド信号、入力された図柄主コマンド信号で示されている図柄を示す図柄副コマンド信号、副変動パターン用の乱数を読み取り、読み取った副変動パターン用の乱数に対応する表示情報を示す副変動パターン副コマンド信号を出力する準備を行う。
ステップＳ５では、変動開始副コマンド信号を出力した後、ステップＳ６に進む。同時に、音指示情報及びランプ指示情報の出力を開始する。
ステップＳ６では、タイマ１及びタイマ２に第１の設定時間及び第２の設定時間を設定（第１の設定時間を計時するタイマ１及び第２の設定時間を計時するタイマ２をセット）した後、リターンする。なお、第１の設定時間としては、変動パターン主コマンド信号で示されている変動パターンの変動時間より短い時間が設定され、第２の設定時関としては、変動パターン主コマンド信号で示されている変動パターンの変動時間より長い時間が設定される。
【００１９】
ステップＳ１１では、停止主コマンド信号が入力されたか否かを判断する。停止主コマンド信号が入力された場合にはステップＳ１２に進み、停止主コマンド信号が入力されていない場合にはステップＳ２１に進む。
ステップＳ１２では、タイマ１がタイムアップしているか否か（第１の設定時間が経過しているか否か）を判断する。タイマ１がタイムアップしていない場合にはステップＳ１３に進み、タイムアップしている場合にはステップＳ１４に進む。
ステップＳ１３では、エラー処理を実行する。エラー処理では、例えば、エラー情報コマンド信号を出力する。勿論、エラー処理では、これ以外の種々の処理を実行することができる。
このステップＳ１２及びＳ１３は、変動パターン主コマンド信号で示されている変動パターン（基本変動パターン）の変動時間に対応する第１の設定時間が経過する前に停止主コマンド信号が入力された場合にエラー処理を実行するためのステップである。
ステップＳ１４では、待機状態設定処理を実行した後、ステップＳ１５に進む。待機状態設定処理では、例えば、図柄を停止表示させた後の待機時に表示装置３８に待機パターン（待機表示）を表示させるための停止副コマンド信号を出力する準備、待機時にスピーカ２５から待機パターン音（待機音）を発生させるための音指示情報や、待機時に待機パターン（待機ランプ）でランプ２６を点灯させるためのランプ指示情報を記憶回路２２から読み取る準備を行う。
ステップＳ１５では、停止副コマンド信号を出力した後、ステップＳ１６に進む。同時に、待機時の音指示情報及びランプ指示情報の出力を開始する。停止副コマンド信号としては、例えば、入力された停止主コマンド信号を用いることができる。
なお、待機時に表示装置３８に図柄副コマンド信号で示されている図柄を表示させるように構成することができる。また、待機時に、スピーカ２５から音を発生させないように構成したり、ランプ２６を点灯させないように構成することもできる。
ステップＳ１６では、タイマ３に第３の設定時間を設定した後、リターンする。本実施の形態では、ステップＳ１６では、タイマ３の設定時間として、表示装置３８、スピーカ２５、ランプ２６の最大待機時間、例えば、１２０秒が設定される。タイマ３は、停止主コマンド信号が入力されてから、変動開始副コマンド信号（例えば、変動パターン副コマンド信号）が入力されない状態が最大待機時間継続したことを判別する計時手段として用いられている。
【００２０】
ステップＳ２１では、前回停止副コマンド信号あるいは客待副コマンド信号を出力してから変動開始副コマンド信号を出力したか否かを判断する。変動開始副コマンド信号を出力した場合にはステップＳ２２に進み、変動開始副コマンド信号を出力していない場合にはリターンする。
ステップＳ２２では、前回変動開始副コマンド信号を出力してから停止副コマンド信号を出力したか否かを判断する。停止副コマンド信号を出力した場合にはステップＳ２６に進み、停止副コマンド信号を出力していない場合にはステップＳ２３に進む。ステップＳ２２は、変動開始主コマンド信号が入力されて変動開始副コマンド信号を出力した後停止主コマンド信号の入力を待機している状態であるか、変動開始主コマンド信号及び停止主コマンド信号が入力された状態であるかを判断するためのものである。
ステップＳ２３では、タイマ２がタイムアップしたか否か（第２の設定時間が経過しているか否か）を判断する。タイマ２がタイムアップしている場合にはステップＳ２４に進み、タイマ２がタイムアップしていない場合にはステップＳ２５に進む。
ステップＳ２４では、エラー処理を実行する。エラー処理では、例えば、エラー情報コマンド信号を出力する。勿論、エラー処理では、これ以外の種々の処理を実行することができる。
このステップＳ２３及びＳ２４は、変動パターン主コマンド信号で示されている変動パターン（基本変動パターン）の変動時間に対応する第２の設定時間が経過しても停止主コマンド信号が入力されない場合にエラー処理を実行するためのステップである。
ステップＳ２５では、タイマ３の減算処理を実行する。本実施の形態では、ステップＳ２５において、タイマ３の値が正であればタイマ３の値を減算し、タイマ３の値が負であればタイマ３の値を減算しない。すなわち、停止副コマンド信号を出力してステップＳ１６でタイマ３に正の値が設定された場合にのみ、ステップＳ２５でタイマ３の減算処理が行われる。
【００２１】
ステップＳ２６では、タイマ３がタイムアップしたか否か（第３の設定時間が経過してタイマ３の値「０」になったか否か）を判断する。すなわち、停止主コマンド信号が入力されてから（あるいは停止副コマンド信号を出力してから）、変動開始主コマンド信号が入力されない状態が第３の設定時間（最大待機時間）継続したか否かを判断する。タイマ３がタイムアップしていない場合（タイマ３の値が正の値である場合）にはステップＳ２５に進み、タイムアップしている場合（タイマ３の値が「０」である場合）にはステップＳ２７に進む。
ステップＳ２７では、前回停止副コマンド信号を出力してから客待副コマンド信号を出力したか否かを判断する。客待副コマンド信号を出力していない場合にはステップＳ２８に進み、客待副コマンド信号を出力している場合にはリターンする。
ステップＳ２８では、客待状態設定処理を実行する。客待状態設定処理では、例えば、待機後の客待時に表示装置３８に客待パターン（デモパターン）を表示させる（客待時の演出表示）ための客待副コマンド信号を出力する準備、客待時にスピーカ２５から客待パターンを（客待音）を発生させるための音指示情報や、客待時にランプ２６を客待パターン（客待ランプ）で点灯させるためのランプ指示情報を記憶回路２２から読み取る準備を行う。
ステップＳ２９では、客待副コマンド信号を出力した後、リターンする。同時に、客待時の音指示情報及びランプ指示情報の出力を開始する。客待時の演出動作は、主制御回路から変動開始主コマンド信号が出力されることによって中止される。
なお、客待時に、表示装置３８に図柄副コマンド信号で示される図柄を表示させるように構成することができる。また、客待時に、スピーカ２５から音を発生させないように構成したり、ランプ２６を点灯させないように構成することもできる。
【００２２】
表示制御回路３１は、副制御回路２１から出力された副コマンド信号に基づいて表示装置３８を制御するための表示指示情報を出力する。
例えば、変動パターン副コマンド信号、副変動パターン副コマンド信号、左図柄副コマンド信号、中図柄福コマンド信号、右図柄副コマンド信号により構成される変動開始副コマンド信号が順に入力される場合、変動パターン副コマンド信号が入力されると、表示装置３８の左図柄表示部、中図柄表示部、右図柄表示部に図柄を高速で変動させる表示指示情報を記憶回路３２から読み出して表示装置３８に出力する。そして、副変動パターン副コマンド信号、左図柄副コマンド信号、中図柄福コマンド信号、右図柄副コマンド信号が入力されると、変動パターン副コマンド信号、副変動パターン副コマンド信号、左図柄副コマンド信号、中図柄福コマンド信号、右図柄副コマンド信号に対応する表示指示情報を記憶回路３２から読み出して表示装置３８に出力する。
次に、停止副コマンド信号が入力されると、表示装置３８に図柄副コマンド信号で示されている図柄を停止表示（確定表示）させるとともに、待機パターン（待機時演出表示）を表示させる表示指示情報を記憶回路３２から読み出して表示装置３８に出力する。表示装置３８に表示させる待機パターンとして、図柄副コマンド信号で示されている図柄を表示させるパターンを用いることもできる。この場合には、停止副コマンド信号が入力されてから待機期間にわたって、図柄副コマンド信号で示される図柄が表示される。
また、客待副コマンド信号が入力されると、表示装置３８に客待パターン（客待演出表示）を表示させるための表示指示情報を記憶回路３２から読み出して表示装置３８に出力する。
【００２３】
本実施の形態の動作の１例を、図５に示すタイミングチャート図により具体的に説明する。
時点ｔ１で始動信号が入力されると、主制御回路１１は、抽選情報を取得し、取得した抽選情報の判定結果（抽選結果）に基づいた変動パターン及び左図柄、中図柄、右図柄を示す変動パターン主コマンド信号及び左図柄主コマンド信号、中図柄主コマンド信号、右図柄主コマンド信号により構成される変動開始主コマンド信号を出力する。変動開始主コマンド信号を構成する各コマンド信号は、例えば、４ｍｓ毎に順次出力される。副制御回路２１は、変動パターンコ主マンド信号の受信を契機に受信タイマに値を設定（例えば、副制御回路２１の処理周期を１６ｍｓとするなら、３周期分の４８ｍｓを設定）する。そして、最後の処理周期内で全てのコマンド信号を受信したか否かの確認及び整合性（当たりの変動パターンに対して当たり図柄であるか、はずれの変動パターンに対してはずれ図柄であるか）を判定する。これにより、副制御回路２１は、確実に変動開始主コマンド信号を判別することができる。
そして、副制御回路２１は、主制御回路１１から変動パターン主コマンド信号が出力されてから（変動パターン主コマンド信号が入力されてから）所定時間Ｔ１経過した時点ｔ２で、変動パターン副コマンド信号、副変動パターン副コマンド信号、左図柄副コマンド信号、中図柄副コマンド信号、右図柄副コマンド信号により構成される変動開始副コマンド信号を出力する。同時に、例えば、変動パターン主コマンド信号で示されている変動パターンに対応する音指示情報及びランプ指示情報を記憶回路２２から読み出し、それぞれ音源ＩＣ２３及びランプ駆動回路２４に出力する。なお、図２に示すステップＳ６及びＳ９のエラー処理が実行される場合には、副制御回路２１からエラー情報を出力し、表示装置３８、スピーカ２５、ランプ２６等に出力させるように構成してもよい。
表示制御回路３１は、時点ｔ２で、変動開始副コマンド信号を構成する変動パターン副コマンド信号が入力されると、表示装置３８の左図柄表示部、中図柄表示部、右図柄表示部に図柄の高速変動表示を開始させる。続けて、副変動パターン副コマンド信号、左図柄副コマンド信号、中図柄副コマンド信号、右図柄副コマンド信号が入力されると、変動開始副コマンド信号に対応する図柄を変動表示させる。
【００２４】
主制御回路１１は、変動開始主コマンド信号を出力した時点ｔ１から、所定時間Ｔ１及び変動開始主コマンド信号に含まれている変動パターン主コマンド信号で示されている変動パターンの変動時間に対応する時間Ｔ２が経過した時点ｔ３で、停止主コマンド信号を出力する。
副制御回路２１は、停止主コマンド信号が入力されると、停止副コマンド信号を表示制御回路３１に出力する。同時に、待機時における待機パターンの音をスピーカ２５から出力させるための音指示情報、待機パターンでランプ２６を点灯させるためのランプ指示情報を記憶回路２２から読み出し、それぞれ音源ＩＣ２３及びランプ駆動回路２４に出力する。
表示制御回路３１は、停止副コマンド信号が入力されると、表示装置３８に、図柄副コマンド信号で示される図柄を停止（確定）表示させる。
【００２５】
その後、副制御回路２１は、停止主コマンド信号が入力された時点ｔ３から最大待機時間Ｔ３が経過する前に変動開始主コマンド信号が入力されると、同様の処理を繰り返す。一方、停止主コマンド信号が入力された時点ｔ３から最大待機時間Ｔ３が経過しても変動開始主コマンド信号が入力されない場合には、副制御回路２１は、時点ｔ４で客待副コマンド信号を表制御回路３１に出力する。同時に、客待時における客待パターンの音をスピーカ２５から発生させるための音指示情報、客待パターンでランプ２６を点灯させるためのランプ指示情報を記憶回路２２から読み出し、それぞれ音源ＩＣ２３及びランプ駆動回路２４に出力する。
表示制御回路３１は、客待副コマンド信号が入力されると、表示装置３８に、客待時の客待パターンを表示装置３８に表示させる。
【００２６】
以上のように、本実施の形態では、演出動作を主制御回路１１が管理する演出動作（抽選情報の判定結果に基づく変動演出動作や大当たり演出動作等）と副制御回路２１が管理する演出動作（客待時の演出動作）に分け、主制御回路１１は、主制御回路１１が管理する演出動作に関する主コマンド信号を副制御回路２１に出力し、副制御回路２１は、主制御回路１１が管理している演出動作の実施は主制御回路１１から出力される主コマンド信号の入力を契機に行い、副制御回路２１が管理している演出動作の実施は主制御回路１１から出力される主コマンド信号に基づいて副制御回路２１が時間管理して行う。また、従来例のように、表示制御回路、音制御回路、ランプ制御回路それぞれに主コマンド信号を出力するのではなく、副制御回路２１に主コマンド信号を出力している。このため、主制御回路１１の主コマンド信号出力のための処理負担が軽減される。
【００２７】
以上の実施の形態では、副制御回路２１による被制御機器の制御方法として、表示制御回路３１に副コマンド信号を出力し、音源ＩＣ２３及びランプ駆動回路２４に音指示情報及びランプ指示情報を出力する方法を用いたが、副制御回路２１による被制御機器の制御方法はこれに限定されない。
例えば、副制御基板２０の副制御回路２１に、表示制御回路３１の機能を有する表示モジュールをプログラムして、表示装置を駆動する駆動回路及び表示装置とのＩ／Ｆ回路とを副制御基板２０に設け、副制御回路２１から音指示情報、ランプ指示情報及び表示指示情報を出力する方法を用いることもできる。
あるいは、音制御回路を有する音制御基板やランプ制御回路を有するランプ制御基板を設け、表示制御基板と同じように副制御基板に接続して、副制御回路２１から表示制御回路、音制御回路及びランプ制御回路に副コマンド信号を出力する方法を用いることもできる。
【００２８】
以下に、表示制御回路、音制御回路及びランプ制御回路等の複数の被制御機器制御回路に演出動作を実行させるために副制御回路からコマンド信号を出力する第２の実施の形態を図６により説明する。図６は、パチンコ機として構成した第２の実施の形態の概略構成図である。
本実施の形態では、主制御基板５０、副制御基板６０、表示制御基板７０、音制御基板８０、ランプ制御基板９０、スピーカ８５、ランプ９６を有している。
また、演出効果を高めるために、複数の表示装置、すなわち、液晶表示装置（第１の表示手段）７８とドット表示装置（第２の表示手段）７９を設け、さらに、各表示装置を制御する液晶表示制御回路（第１の表示制御手段）７１とドット表示制御回路（第２の表示制御手段）７４を設けている。本実施の形態では、液晶表示装置７８を抽選情報の判定結果等の演出変動表示を実施するメインの表示装置として用い、ドット表示装置３９をサブ（補助）の表示装置として用いている。もちろん、表示装置の数は適宜選択することができる。
【００２９】
主制御基板５０には、入力インターフェース回路５０ａ、出力インターフェース回路５０ｂ、主制御回路５１、記憶回路５２等が配設されている。
主制御回路５１は、第１の実施の形態と同様に、入力インターフェース回路５０ａを介して入力された、遊技状態を示す入力信号と記憶回路５２に記憶されている制御プログラム等に基づいて、主制御回路５１が管理している演出動作に関する主コマンド信号を出力インターフェース回路５０ｂを介して出力する。例えば、変動パターン主コマンド信号と図柄主コマンド信号により構成される変動開始主コマンド信号、停止主コマンド信号、大当たり演出主コマンド信号等を出力する。
【００３０】
副制御基板６０には、入力インターフェース回路６０ａ、出力インターフェース回路６０ｂ〜６０ｄ、副制御回路６１、記憶回路６２等が配設されている。
記憶回路６２には、副制御回路６１の制御プログラムや副変動パターン用乱数プログラム等が記憶される。
第１の実施の形態では、受信・解析モジュール、音モジュール及びランプモジュールの機能を副制御回路に持たせたが、本実施の形態では、音制御回路８１とランプ制御回路９１を設けているため、副制御回路６１には受信・解析モジュールの機能を持たせている。
副制御回路６１は、入力インターフェース回路６０ａを介して入力された主コマンド信号（変動開始主コマンド信号や停止主コマンド信号等）に基づいて、出力インターフェース６０ｂ〜６０ｄを介して副コマンド信号を出力する。例えば、出力インターフェース回路６０ｂを介して表示コマンド信号、出力インターフェース回路６０ｃを介して音コマンド信号、出力インターフェース回路６０ｄを介してランプコマンド信号を副コマンド信号として出力する。
表示コマンド信号としては、例えば、前述したように、変動パターン主コマンド信号で示されている変動パターンを示す変動パターン副コマンド信号、図柄主コマンド信号で示されている図柄を示す図柄副コマンド信号、副変動パター用の乱数に対応する表示情報を示す副変動パターン副コマンド信号により構成される変動開始副コマンド信号、停止主コマンド信号で示されている演出動作を終了させる停止副コマンド信号、客待副コマンド信号等が用いられる。
なお、本実施の形態では、液晶表示装置７８とドット表示装置７９を制御する液晶表示制御回路７１とドット表示制御回路７４に同じ表示コマンド信号を出力している。
音コマンド信号やランプコマンド信号としては、例えば、前述したように、変動パターン副コマンド信号、停止副コマンド信号、客待副コマンド信号等を出力する。
【００３１】
表示制御基板７０には、入力インターフェース回路７０ａ、出力インターフェース回路７０ｂ、７０ｃ、液晶表示制御回路７１、ドット表示制御回路７４、記憶回路７２、７５、駆動回路７３、７６等が配設されている。
記憶回路７２には、液晶表示制御回路７１の制御プログラム、液晶表示装置７８を副制御回路６１から出力される副コマンド信号（変動開始副コマンド信号、停止副コマンド信号や客待副コマンド信号等）に基づいて制御するための液晶表示指示情報等が記憶されている。液晶表示指示情報は、例えば、変動パターン副コマンド信号、副変動パターン副コマンド信号及び図柄副コマンド信号に対応させて記憶されている。
また、記憶回路７５には、ドット表示制御回路７４の制御プログラム、ドット表示装置７９を副制御回路６１から出力される副コマンド信号に基づいて制御するためのドット表示指示情報等が記憶されている。ドット表示指示情報は、例えば、変動パターン副コマンド信号、副変動パターン副コマンド信号及び図柄副コマンド信号に対応させて記憶されている。
なお、副変動パターンを液晶表示装置７８にのみ表示させる場合には、記憶回路７２に、液晶表示指示情報を変動パターン副コマンド信号、副変動パターン副コマンド信号及び図柄副コマンド信号に対応させて記憶し、記憶回路７５に、ドット表示指示情報を変動パターン副コマンド信号及び図柄副コマンド信号に対応させて記憶する。
液晶表示制御回路７１及びドット表示制御回路７４は、入力インターフェース回路７０ａを介して入力される副コマンド信号（変動開始副コマンド信号、停止副コマンド信号や客待副コマンド信号等）に基づいて、それぞれ記憶回路７２及び７５から液晶表示装置７８及びドット表示装置７９を制御するための液晶表示指示情報やドット表示指示情報を読み出して駆動回路７３及び７６に出力する。駆動回路７３及び７６は、入力された液晶表示指示情報及びドット表示指示情報に基づいて液晶表示制御信号及びドット表示制御信号を出力インターフェース回路７０ｂ及び７０ｃを介して液晶表示装置７８及びドット表示装置７９に出力する。
【００３２】
音制御基板８０には、入力インターフェース回路８０ａ、出力インターフェース回路８０ｂ、音制御回路８１、記憶回路８２、音源ＩＣ８３等が配設されている。
記憶回路４２には、音制御回路８１の制御プログラム、副制御回路６１から出力される副コマンド信号（音コマンド信号）に基づいてスピーカ８５を制御するための音指示情報が記憶されている。音指示情報は、例えば、音コマンド信号として出力される変動パターン副コマンド信号に対応させて記憶されている。
音制御回路８１は、入力された副コマンド信号（例えば、変動パターン副コマンド信号に基づいて、スピーカ８５を制御するための音指示情報を音源ＩＣ８３に出力する。音源ＩＣ８３は、入力された音指示情報に基づいて、音制御信号を出力インターフェース回路８０ｂを介してスピーカ８５に出力する。
【００３３】
ランプ制御基板９０には、入力インターフェース回路９０ａ、出力インターフェース回路９０ｂ、ランプ制御回路９１、記憶回路９２、ランプ駆動回路９３等が配設されている。
記憶回路９２には、ランプ制御回路９１の制御プログラム、副制御回路６１から出力される副コマンド信号に基づいてランプ９６を制御するためのランプ指示情報が記憶されている。ランプ指示情報は、例えば、ランプコマンド信号として出力される変動パターン副コマンド信号に対応させて記憶されている。
ランプ制御回路９１は、入力された副コマンド信号（例えば、変動パターン副コマンド信号）に基づいて、ランプ９６を制御するためのランプ指示情報をランプ駆動回路９３に出力する。ランプ駆動回路９３は、入力されたランプ指示情報に基づいて、ランプ制御信号をインターフェース回路９０ｂを介してランプ９６に出力する。
第２の実施の形態の動作は、副制御回路６１から音制御回路８１及びランプ制御回路９１に副コマンド信号（音コマンド信号やランプコマンド信号）が出力され点を除いて第１の実施の形態の動作と同様である。
【００３４】
以上のように、本実施の形態では、演出動作を主制御回路５１が管理する演出動作と副制御回路６１が管理する演出動作に分け、主制御回路５１は、主制御回路５１が管理する演出動作に関する主コマンド信号を副制御回路６１に出力し、副制御回路６１は、主制御回路５１が管理している演出動作の実施は主制御回路５１から出力される主コマンド信号の入力を契機に行い、副制御回路６１が管理している演出動作の実施は主制御回路５１から出力される主コマンド信号に基づいて副制御回路６１が時間管理して行う。また、従来例のように、表示制御回路、音制御回路、ランプ制御回路それぞれに主コマンド信号を出力するのではなく、副制御回路６１に主コマンド信号を出力している。このため、主制御回路５１の主コマンド信号出力のための処理負担が軽減される。
また、副制御回路６１は、表示制御回路７１、７４、音制御回路８１、ランプ制御回路９１に副コマンド信号を出力すればよく、表示指示情報、音指示情報、ランプ指示情報を出力する処理が不要となるため、副制御回路６１の処理負担が軽減される。
【００３５】
本発明は、実施の形態で説明した構成に限定されることなく、種々の変更、追加、削除が可能である。
例えば、コマンド信号や指示情報や制御信号の出力方法は、実施の形態で説明した方法に限定されず、種々の方法を用いることができる。
また、主制御回路が管理する演出動作や副制御回路が管理する演出動作は、適宜選択可能である。
また、副制御回路から、被制御機器である表示装置、スピーカ（音発生手段）やランプ（光発生手段）を制御するためのコマンド信号や指示情報を出力する場合について説明したが、これら以外の種々の被制御機器を制御するためのコマンド信号や指示情報を出力する場合にも適用することができる。さらに、副制御回路からコマンド信号や指示情報を出力する被制御機器の数は種々変更可能である。
また、パチンコ機について説明したが、本発明は、パチンコ機以外のスロットマシン等の種々の遊技機にも適用することができる。
【００３６】
本発明は、以下のように構成することができる。
例えば、「（態様１）遊技状態を示す入力信号に基づいて主コマンド信号を副制御手段に出力する主制御手段と、入力された主コマンド信号に基づいて副コマンド信号を被制御機器制御手段に出力する副制御手段と、入力された副コマンド信号に基づいて被制御機器を制御する被制御機器制御手段とを備え、主制御手段は、演出動作を示す演出主コマンド信号と、演出動作の終了を示す終了主コマンド信号を出力可能であり、副制御手段は、演出主コマンド信号が入力されると、入力された演出主コマンド信号で示されている演出動作を示す演出副コマンド信号を出力し、終了主コマンド信号が入力されると、演出動作の終了を示す終了副コマンド信号を出力するとともに、計時動作を開始し、演出主コマンド信号が入力されない状態が設定時間継続したことを条件に所定の演出動作を示す開始副コマンド信号を出力し、被制御機器制御手段は、演出副コマンド信号が入力されると、入力された演出副コマンド信号で示されている演出動作が実行されるように被制御機器を制御し、終了副コマンド信号が入力されると、演出動作が終了するように被制御機器を制御し、開始副コマンド信号が入力されると、入力された開始副コマンド信号で示されている所定の演出動作が実行されるように被制御機器を制御する、遊技機。」として構成することができる。
なお、主制御手段から終了主コマンド信号が出力されてから設定時間の計時動作を開始すること、あるいは副制御手段から終了副コマンド信号を出力してから設定時間の計時を開始することは、副制御手段に終了主コマンド信号が入力されてから設定時間の計時動作を開始することと同義であり、主制御手段から終了主コマンド信号が出力されてから設定時間の計時動作を開始すること、あるいは副制御手段から終了副コマンド信号を出力してから設定時間の計時動作を開始することは、本発明の、副制御手段に終了主コマンド信号が入力されてから設定時間の計時動作を開始する概念に含まれる。
態様１の遊技機では、主制御手段と副制御手段を設けるとともに、演出動作を、主制御手段が管理する演出動作と副制御手段が管理する演出動作に分け、主制御手段は、主制御手段が管理する演出動作に関する主コマンド信号のみを出力し、副制御手段は、主制御手段が管理している演出動作の内容、開始時期及び終了時期（演出動作態様）は主コマンド信号で指示され、副制御手段が管理している演出動作の内容、開始時期及び終了時期（演出動作態様）は主コマンド信号の入力を契機に判断し、各演出動作態様が実行されるように被制御機器制御回路に副コマンド信号を出力する。
態様１の遊技機を用いれば、主制御手段は、主制御手段が管理している演出動作に関する主コマンド信号の出力処理のみを実行すればよいため、主制御手段の処理負担が軽減される。また、副制御手段は、被制御機器制御手段に副コマンド信号を出力すればよいため、被制御機器を制御するための指示情報を出力する場合に比べて副制御手段の処理負担が軽減される。
【図面の簡単な説明】
【００３７】
【図１】本発明の第１の実施の形態の概略構成図である。
【図２】本発明の第１の実施の形態の動作を説明するフローチャート図である。
【図３】本発明の第１の実施の形態の動作を説明するフローチャート図である。
【図４】本発明の第１の実施の形態の動作を説明するフローチャート図である。
【図５】本発明の第１の実施の形態の動作を説明するタイミングチャート図である。
【図６】本発明の第１の実施の形態の概略構成図である。
【図７】従来例を示す図である。
【符号の説明】
【００３８】
１０、５０、１１０  主制御基板
１０ａ、１０ｂ、２０ａ〜２０ｄ、３０ａ、３０ｂ、５０ａ、５０ｂ、６０ａ〜６０ｄ、７０ａ〜７０ｃ、８０ａ、８０ｂ、９０ａ、９０ｂ、１１０ａ、１１０ｂ、１３０ａ、１３０ｂ、１４０ａ、１４０ｂ、１５０ａ、１５０ｂ  インターフェース回路
１１、５１、１１１  主制御回路（主制御手段）
１２、２２、３２、５２、６２、７２、７５、８２、９２、１１２、１３２、１４２、１５２  記憶回路（記憶手段）
２０、５０  副制御基板
２１、５１  副制御回路（副制御手段）
２３、８３、１４３  音源ＩＣ
２４、９３、１５３  ランプ駆動回路
２５、８５、１４５  スピーカ（音発生手段）
２６、９６、１５６  ランプ（光発生手段）
３０、７０、１３０  表示制御基板
３１、１３１  表示制御回路（表示制御手段）
７１  液晶表示制御回路（第１の表示制御手段）
７４  ドット表示制御回路（第２の表示制御手段）
３８、１３８  表示装置（表示手段）
７８  液晶表示装置（第１の表示手段）
７９  ドット表示装置（第２の表示手段）
８０、１４０  音制御基板
８１、１４１  音制御回路（音制御手段）
９０、１５０  ランプ制御基板
９１、１５１  ランプ制御回路（ランプ制御手段）
【図１】
2005102712.tif 000003
【図２】
2005102712.tif 000004
【図３】
2005102712.tif 000005
【図４】
2005102712.tif 000006
【図５】
2005102712.tif 000007
【図６】
2005102712.tif 000008
【図７】
2005102712.tif 000009